(57)【要約】【課題】情報処理装置におけるソフトウェアの初期設定処理におけるユーザー情報の入力作業の手間を軽減することが可能な画像処理装置及び画像処理システムを提供すること。【解決手段】記憶部１５は、ユーザーに関するユーザー情報Ｄ１と情報処理装置２にインストール可能なソフトウェアとを記憶する。受信処理部１６１は、情報処理装置２から前記ソフトウェアのダウンロード要求と情報処理装置２を使用するユーザーのユーザーＩＤとを受信する。生成処理部１６２は、前記ユーザーＩＤに対応するユーザーのユーザー情報Ｄ１に基づいて、情報処理装置２における前記ソフトウェアのインストール時又は初回起動時に情報処理装置２で実行される初期設定処理において参照される設定情報Ｄ３を生成する。送信処理部１６３は、前記ソフトウェアと設定情報Ｄ３とを情報処理装置２に送信する。【選択図】図４
2019207529.tif 000002
【特許請求の範囲】
【請求項１】
ユーザーに関するユーザー情報と情報処理装置にインストール可能なソフトウェアとを記憶する記憶部と、
前記情報処理装置から前記ソフトウェアのダウンロード要求と前記情報処理装置を使用するユーザーのユーザー識別情報とを受信する受信処理部と、
前記ユーザー識別情報に対応するユーザーの前記ユーザー情報に基づいて、前記情報処理装置における前記ソフトウェアのインストール時又は初回起動時に前記情報処理装置で実行される初期設定処理において参照される設定情報を生成する生成処理部と、
前記ソフトウェアと前記設定情報とを前記情報処理装置に送信する送信処理部と、
を備える画像処理装置。
【請求項２】
前記送信処理部は、前記ソフトウェアと、前記ソフトウェアをインストールするためのプログラムであるインストーラーと、前記設定情報とを前記情報処理装置に送信し、
前記設定情報は、前記情報処理装置における前記インストーラーの実行時に参照される、
請求項１に記載の画像処理装置。
【請求項３】
前記設定情報は、前記情報処理装置における前記ソフトウェアの初回起動時に参照される、
請求項１に記載の画像処理装置。
【請求項４】
前記設定情報は、前記ユーザー識別情報、前記ユーザーを認証するための認証情報、前記ユーザーの権限を示す権限情報、及び前記ユーザーが所属するグループを示すグループ識別情報の少なくとも一つを含む、
請求項１〜３のいずれかに記載の画像処理装置。
【請求項５】
前記設定情報は、前記画像処理装置に関する装置情報を含む、
請求項１〜４のいずれかに記載の画像処理装置。
【請求項６】
前記装置情報は、前記画像処理装置の機種を示す機種情報、前記画像処理装置へのアクセス時に用いられる前記画像処理装置のアドレス情報、及びオプション機器の装着の有無を示す情報の少なくとも一つを含む、
請求項５に記載の画像処理装置。
【請求項７】
前記設定情報は、前記ユーザーの権限を示す権限情報を含み、
前記情報処理装置における前記初期設定処理において、前記設定情報に含まれる前記権限情報に応じて前記ソフトウェアの一部の機能が制限される、
請求項１〜６のいずれかに記載の画像処理装置。
【請求項８】
請求項１〜７のいずれかに記載の画像処理装置と、
前記画像処理装置からソフトウェアと前記ソフトウェアに対応する設定情報とを受信し、前記ソフトウェアのインストール時又は初回起動時に前記設定情報を参照して初期設定処理を実行する情報処理装置と、
を備える画像処理システム。
【発明の詳細な説明】
【技術分野】
【０００１】
本発明は、画像処理装置及び画像処理システムに関する。
【背景技術】
【０００２】
プリンターの製造業者が供給する最新のプリンタードライバーを必要に応じて情報処理装置に自動的にインストールすることが可能なデータ処理装置が知られている（例えば、特許文献１参照）。
【先行技術文献】
【特許文献】
【０００３】
【特許文献１】特開２００１−４３０３９号公報
【発明の概要】
【発明が解決しようとする課題】
【０００４】
情報処理装置におけるプリンタードライバーのインストール時又は初回起動時に実行される初期設定処理において、情報処理装置を使用するユーザーのユーザー情報（例えば、ユーザーＩＤ、パスワード、権限、部門コードなど）の入力が求められることがある。このような入力作業は、ユーザーにとって手間である。
【０００５】
本発明の目的は、情報処理装置におけるソフトウェアの初期設定処理におけるユーザー情報の入力作業の手間を軽減することが可能な画像処理装置及び画像処理システムを提供することにある。
【課題を解決するための手段】
【０００６】
本発明の一の局面に係る画像処理装置は、記憶部と、受信処理部と、生成処理部と、送信処理部とを備える。前記記憶部は、ユーザーに関するユーザー情報と情報処理装置にインストール可能なソフトウェアとを記憶する。前記受信処理部は、前記情報処理装置から前記ソフトウェアのダウンロード要求と前記情報処理装置を使用するユーザーのユーザー識別情報とを受信する。前記生成処理部は、前記ユーザー識別情報に対応するユーザーの前記ユーザー情報に基づいて、前記情報処理装置における前記ソフトウェアのインストール時又は初回起動時に前記情報処理装置で実行される初期設定処理において参照される設定情報を生成する。前記送信処理部は、前記ソフトウェアと前記設定情報とを前記情報処理装置に送信する。
【０００７】
本発明の一の局面に係る画像処理システムは、前記画像処理装置と、情報処理装置とを備える。前記情報処理装置は、前記画像処理装置からソフトウェアと前記ソフトウェアに対応する設定情報とを受信し、前記ソフトウェアのインストール時又は初回起動時に前記設定情報を参照して初期設定処理を実行する。
【発明の効果】
【０００８】
本発明によれば、情報処理装置におけるソフトウェアの初期設定処理におけるユーザー情報の入力作業の手間を軽減することが可能な画像処理装置及び画像処理システムが提供される。
【図面の簡単な説明】
【０００９】
【図１】図１は、本発明の実施形態に係る画像処理システムの構成を示す図である。
【図２】図２は、本発明の実施形態に係る画像処理システムで用いられるユーザー情報の一例を示す図である。
【図３】図３は、本発明の実施形態に係る画像処理システムで用いられる装置情報の一例を示す図である。
【図４】図４は、本発明の実施形態に係る画像処理システムで実行されるダウンロード処理の手順の一例を示すフローチャートである。
【図５】図５は、本発明の実施形態に係る情報処理システムで用いられるダウンロード画面の一例を示す図である。
【図６】図６は、本発明の実施形態に係る画像処理システムで用いられる設定情報の一例を示す図である。
【図７】図７は、本発明の実施形態に係る画像処理システムで実行されるインストール処理の手順の一例を示すフローチャートである。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定するものではない。
【００１１】
図１に示すように、本発明の実施形態に係る画像処理システム１００は、画像処理装置１と、一又は複数の情報処理装置２とを備える。画像処理装置１と情報処理装置２とは、電話回線、インターネット、ＬＡＮなどの通信網Ｎ１を介して通信可能である。
【００１２】
［画像処理装置］
図１に示すように、画像処理装置１は、操作表示部１０、ＡＤＦ１１、画像読取部１２、画像形成部１３、通信Ｉ／Ｆ１４、記憶部１５、及び制御部１６などを備える。具体的に、画像処理装置１は、プリンター機能、スキャナー機能、コピー機能、及びファクシミリ機能などを有する複合機である。なお、画像処理装置１は、複合機に限らず、画像を処理する機能を有する任意の装置（例えば、プリンター、スキャナー、コピー機、ファクシミリ装置など）であってもよい。
【００１３】
操作表示部１０は、情報を表示する液晶ディスプレーなどの表示部と、ユーザー操作を受け付けるタッチパネル及び操作ボタンなどの操作部とを備える。ＡＤＦ１１は、原稿セット部、搬送ローラー、原稿押さえ、及び排紙部を備え、画像読取部１２の読み取り対象となる原稿を搬送する自動原稿搬送装置である。画像読取部１２は、原稿台、光源、ミラー、光学レンズ、及びＣＣＤ（Ｃｈａｒｇｅ  Ｃｏｕｐｌｅｄ  Ｄｅｖｉｃｅ）を備え、原稿を含む読取範囲内の画像を読み取って画像データとして出力することが可能である。
【００１４】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。
【００１５】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１６】
記憶部１５は、ハードディスク又はＥＥＰＲＯＭ（登録商標）などの不揮発性の記憶部である。記憶部１５には、制御部１６によって実行される各種の制御プログラム、及び画像データなどが記憶される。また、記憶部１５には、ユーザー情報Ｄ１（図２参照）及び装置情報Ｄ２（図３参照）が記憶される。
【００１７】
ユーザー情報Ｄ１は、画像処理装置１を使用するユーザーに関する情報である。図２に示されるように、ユーザー情報Ｄ１には、画像処理装置１を使用するユーザーごとに、「ユーザーＩＤ」、「パスワード」、「権限」、及び「部門コード」などの情報が含まれる。「ユーザーＩＤ」は、前記ユーザーを識別するための情報である。「ユーザーＩＤ」は、前記ユーザーを識別するためのユーザー識別情報の一例である。「パスワード」は、前記ユーザーを認証するための情報である。「パスワード」は、前記ユーザーを認証するための認証情報の一例である。「権限」は、ユーザーの権限を示す情報である。「権限」は、前記ユーザーの権限を示す権限情報の一例である。本実施形態では、ユーザー各々に対して「管理者」又は「ユーザー」のいずれかの権限が割り当てられる。「部門コード」は、ユーザーが所属する部門を示す情報である。「部門コード」は、前記ユーザーが所属するグループを示すグループ識別情報の一例である。ユーザー情報Ｄ１は、操作表示部１０に表示される不図示のユーザー登録画面を通じて登録又は編集可能である。
【００１８】
装置情報Ｄ２は、画像処理装置１に関する情報である。図３に示されるように、装置情報Ｄ２には、「機種名」、「ＩＰアドレス」、「オプションＡ」、「オプションＢ」、「オプションＣ」、及び「オプションＤ」などの情報が含まれる。「機種名」は、画像処理装置１の機種の名称であって、画像処理装置１の機種を示す機種情報の一例である。「ＩＰアドレス」は、画像処理装置１に割り当てられているＩＰアドレスであって、画像処理装置１へのアクセス時に用いられる画像処理装置１のアドレス情報の一例である。「オプションＡ」〜「オプションＤ」は、画像処理装置１に装着可能なオプション機器（例えば、給紙カセット、排出トレイ、後処理装置など）に対応し、前記オプション機器の装着の有無を示す。「オプションＡ」〜「オプションＤ」は、オプション機器の装着の有無を示す情報の一例である。図３に示される装置情報Ｄ２は、「オプションＡ」〜「オプションＤ」の４種類のオプション機器のうち、「オプションＡ」及び「オプションＤ」が画像処理装置１に装着されていることを示している。装置情報Ｄ２は、ＩＰアドレスが変更されたとき、オプション機器が着脱されたときなどに、制御部１６によって随時に更新される。
【００１９】
また、記憶部１５には、情報処理装置２にインストール可能なソフトウェア（例えば、プリンタードライバー、ユーティリティーソフトなど）、及び前記ソフトウェアをインストールするためのプログラムであるインストーラーなどが記憶される。本実施形態では、情報処理装置２は、通信網Ｎ１を通じて画像処理装置１から所望のソフトウェアをダウンロードして、前記ソフトウェアをインストールすることが可能である。
【００２０】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２１】
ところで、情報処理装置２におけるプリンタードライバーなどのソフトウェアのインストール時又は初回起動時に実行される初期設定処理において、情報処理装置２を使用するユーザーのユーザー情報（例えば、ユーザーＩＤ、パスワード、権限、部門コードなど）の入力が求められることがある。このような入力作業は、ユーザーにとって手間である。これに対して、本実施形態に係る画像処理システム１００によれば、情報処理装置２におけるソフトウェアの初期設定処理におけるユーザー情報の入力作業の手間を軽減することが可能である。
【００２２】
具体的に、制御部１６は、受信処理部１６１、生成処理部１６２、及び送信処理部１６３を含む。なお、制御部１６は、前記制御プログラムに従って処理を実行することにより、当該各処理部として機能する。また、制御部１６は、前記各処理部の一部又は複数の処理機能を実現する電子回路を備えるものであってもよい。
【００２３】
受信処理部１６１は、情報処理装置２からソフトウェアのダウンロード要求と情報処理装置２を使用するユーザーのユーザーＩＤとを受信する。例えば、受信処理部１６１は、後述するダウンロード画面Ｐ１（図５参照）を通じて、情報処理装置２からソフトウェアのダウンロード要求と情報処理装置２を使用するユーザーのユーザーＩＤとを受信する。
【００２４】
生成処理部１６２は、受信処理部１６１により受信されるユーザーＩＤに対応するユーザーのユーザー情報Ｄ１に基づいて、情報処理装置２における前記ソフトウェアのインストール時又は初回起動時に情報処理装置２で実行される初期設定処理において参照される設定情報Ｄ３（図６参照）を生成する。
【００２５】
送信処理部１６３は、情報処理装置２から要求されたソフトウェアと、生成処理部１６２により生成された設定情報Ｄ３とを情報処理装置２に送信する。なお、送信処理部１６３は、前記ソフトウェア及び設定情報Ｄ３に加えて、前記ソフトウェアをインストールするためのプログラムであるインストーラーを情報処理装置２に送信してもよい。
【００２６】
情報処理装置２では、画像処理装置１から受信された設定情報Ｄ３が、前記ソフトウェアのインストール時又は初回起動時に実行される初期設定処理において参照される。例えば、情報処理装置２におけるインストーラーの実行時に行われる初期設定処理において、設定情報Ｄ３に基づいてユーザー情報の入力作業が自動的に実行される。もしくは、情報処理装置２における前記ソフトウェアの初回起動時に行われる初期設定処理において、設定情報Ｄ３に基づいてユーザー情報の入力作業が自動的に実行される。
【００２７】
なお、図６に示されるように、設定情報Ｄ３には、画像処理装置１に関する装置情報Ｄ２が含まれてもよい。
【００２８】
また、設定情報Ｄ３には、ユーザーの権限を示す権限情報が含まれてもよい。そして、情報処理装置２における初期設定処理において、設定情報Ｄ３に含まれる前記権限情報に応じて前記ソフトウェアの一部の機能が制限されてもよい。例えば、前記ユーザーの権限が「ユーザー」である場合に、前記ソフトウェアの特定の機能（例えば、画像処理装置１に保存されている重要な情報を表示したり編集したりする機能など）が無効化されてもよい。
【００２９】
［情報処理装置］
図１に示すように、情報処理装置２は、操作部２０、表示部２１、通信Ｉ／Ｆ２２、記憶部２３、及び制御部２４などを備える。情報処理装置２は、例えば、ノートパソコン、デスクトップパソコン、スマートフォンなどの、通信機能を有する情報処理装置である。画像処理装置１に対応するプリンタードライバーを情報処理装置２にインストールすることによって、情報処理装置２は、画像処理装置１を制御する印刷ホスト装置として機能することが可能である。
【００３０】
操作部２０は、ユーザー操作に応じて印刷要求等の指示又は各種情報を入力するキーボード、マウス、タッチパッド又はタッチパネルなどを含んでいる。
【００３１】
表示部２１は、情報を表示する液晶ディスプレーなどの表示部である。
【００３２】
通信Ｉ／Ｆ２２は、外部の通信装置との間で有線又は無線によるデータ通信を実行可能な通信インターフェイスである。例えば、通信Ｉ／Ｆ２２は、通信網Ｎ１を経由して、画像処理装置１との間で通信を行う。
【００３３】
記憶部２３は、ハードディスクなどの不揮発性の記憶部である。記憶部２３には、制御部２４によって実行される各種の制御プログラム及び画像データなどが記憶される。制御部２４によって実行される制御プログラムには、通信Ｉ／Ｆ２２を介して画像処理装置１を制御するためのプリンタードライバー、画像処理装置１に関連するユーティリティーソフトなどが含まれる。
【００３４】
制御部２４は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００３５】
［ダウンロード処理］
以下、図４を参照しつつ、画像処理装置１の制御部１６及び情報処理装置２の制御部２４によって実行されるダウンロード処理の手順の一例について説明する。ここで、ステップＳ１１、Ｓ１２、・・・は、画像処理装置１の制御部１６により実行される処理手順（ステップ）の番号を表しており、ステップＳ２１、Ｓ２２、・・・は、情報処理装置２の制御部２４により実行される処理手順（ステップ）の番号を表している。
【００３６】
＜ステップＳ２１＞
まず、ステップＳ２１において、情報処理装置２の制御部２４は、通信網Ｎ１を通じて画像処理装置１にアクセスする。例えば、情報処理装置２の制御部２４は、操作部２０を通じて画像処理装置１のＩＰアドレスが入力されると、当該ＩＰアドレスに基づいて画像処理装置１にアクセスする。
【００３７】
＜ステップＳ１１＞
ステップＳ１１において、画像処理装置１の制御部１６は、情報処理装置２からのアクセスに応じて、ダウンロード画面Ｐ１のデータを通信網Ｎ１を通じて情報処理装置２に送信する。
【００３８】
＜ステップＳ２２＞
ステップＳ２２において、情報処理装置２の制御部２４は、画像処理装置１から受信したダウンロード画面Ｐ１のデータに基づいて、表示部２１にダウンロード画面Ｐ１を表示させる。図５は、表示部２１に表示されるダウンロード画面Ｐ１の一例である。
【００３９】
図５に示されるように、ダウンロード画面Ｐ１には、ユーザーＩＤを入力するための入力欄Ｂ１が含まれる。また、ダウンロード画面Ｐ１には、画像処理装置１からダウンロードすべきソフトウェアを選択するための複数のチェックボックスＣ１が含まれる。図５に示されるダウンロード画面Ｐ１では、画像処理装置１からダウンロード可能なソフトウェアとして、「プリンタードライバーＡ」、「プリンタードライバーＢ」、「ユーティリティーソフトＡ」、「ユーティリティーソフトＢ」、及び「ユーティリティーソフトＣ」の５つのソフトウェアが表示されている。これらのソフトウェアは、いずれも、画像処理装置１に関連するソフトウェアである。
【００４０】
ダウンロード画面Ｐ１には、画像処理装置１からのソフトウェアのダウンロードを開始するための操作キーＫ１が含まれる。入力欄Ｂ１にユーザーＩＤが入力され、且つ、いずれかのチェックボックスＣ１がチェックされた状態で操作キーＫ１が操作されると、処理がステップＳ２３に移行する。
【００４１】
＜ステップＳ２３＞
ステップＳ２３において、情報処理装置２の制御部２４は、チェックボックスＣ１により選択されているソフトウェアのダウンロード要求を、通信網Ｎ１を通じて画像処理装置１に送信する。このとき、情報処理装置２の制御部２４は、入力欄Ｂ１に入力されているユーザーＩＤも画像処理装置１に送信する。
【００４２】
＜ステップＳ１２＞
ステップＳ１２において、画像処理装置１の制御部１６は、情報処理装置２から受信したユーザーＩＤに基づいて設定情報Ｄ３を生成する。例えば、情報処理装置２から受信したユーザーＩＤが「０００２」である場合、画像処理装置１の制御部１６は、記憶部１５に記憶されているユーザー情報Ｄ１及び装置情報Ｄ２に基づいて、図６に示されるような設定情報Ｄ３を生成する。図６に示される設定情報Ｄ３には、記憶部１５に記憶されているユーザー情報Ｄ１に含まれる各種情報のうち、ユーザーＩＤが「０００２」であるユーザーに対応する各種情報（すなわち、「ユーザーＩＤ」、「パスワード」、「権限」、及び「部門コード」）が含まれる。
【００４３】
＜ステップＳ１３＞
ステップＳ１３において、画像処理装置１の制御部１６は、情報処理装置２からダウンロード要求されているソフトウェアをインストールするためのインストーラー及び前記ステップＳ１２で生成された設定情報Ｄ３を、通信網Ｎ１を通じて情報処理装置２に送信する。なお、前記インストーラーには、前記ソフトウェア自体が含まれている。
【００４４】
＜ステップＳ２４＞
ステップＳ２４において、情報処理装置２の制御部２４は、画像処理装置１から受信したインストーラー及び設定情報Ｄ３を、記憶部２３に保存する。このとき、画像処理装置１から受信したインストーラー及び設定情報Ｄ３は、互いに関連付けて保存される。例えば、画像処理装置１から受信したインストーラー及び設定情報Ｄ３は、記憶部２３において、同一フォルダー内に保存される。そして、前記ダウンロード処理は終了する。
【００４５】
［インストール処理］
情報処理装置２において、前記ステップＳ２４で記憶部２３に保存されたインストーラーが起動されると、前記ソフトウェアを情報処理装置２にインストールするためのインストール処理が実行される。以下、図７を参照しつつ、前記インストーラーに基づいて情報処理装置２の制御部２４によって実行されるインストール処理の手順の一例について説明する。ここで、ステップＳ３１、Ｓ３２、・・・は、情報処理装置２の制御部２４により実行される処理手順（ステップ）の番号を表している。
【００４６】
＜ステップＳ３１＞
まず、ステップＳ３１において、情報処理装置２の制御部２４は、前記インストーラーに対応するソフトウェア（すなわち、画像処理装置１からダウンロードされたソフトウェア）を情報処理装置２にインストールする。
【００４７】
＜ステップＳ３２＞
ステップＳ３２において、情報処理装置２の制御部２４は、前記ソフトウェアに対応する設定情報Ｄ３が記憶部２３に保存されているか否かを判断する。そして、前記ソフトウェアに対応する設定情報Ｄ３が記憶部２３に保存されていると判断されると（Ｓ３２：Ｙｅｓ）、処理がステップＳ３３に移行する。一方、前記ソフトウェアに対応する設定情報Ｄ３が記憶部２３に保存されていないと判断されると（Ｓ３２：Ｎｏ）、処理がステップＳ３４に移行する。
【００４８】
＜ステップＳ３３＞
ステップＳ３３において、情報処理装置２の制御部２４は、記憶部２３に保存されている設定情報Ｄ３に基づいて、前記ソフトウェアに関する初期設定処理を実行する。前記初期設定処理では、ユーザー情報（例えば、ユーザーＩＤ、パスワード、権限、部門コードなど）及び装置情報（例えば、機種名、ＩＰアドレス、各種オプション機器の装着の有無など）の入力が行われる。当該ステップＳ３３では、これらの情報の入力が、記憶部２３に保存されている設定情報Ｄ３に基づいて自動的に実行される。よって、ユーザーによるこれらの情報の入力作業が不要となる。そして、処理がステップＳ３５に移行する。
【００４９】
＜ステップＳ３４＞
一方、ステップＳ３４において、情報処理装置２の制御部２４は、操作部２０に対するユーザー操作に応じて、前記ソフトウェアに関する初期設定処理を実行する。前記初期設定処理では、ユーザー情報（例えば、ユーザーＩＤ、パスワード、権限、部門コードなど）及び装置情報（例えば、機種名、ＩＰアドレス、各種オプション機器の装着の有無など）の入力が行われる。当該ステップＳ３３では、これらの情報の入力が、操作部２０に対するユーザー操作に応じて実行される。そして、処理がステップＳ３５に移行する。
【００５０】
＜ステップＳ３５＞
ステップＳ３５において、情報処理装置２の制御部２４は、記憶部２３に保存されている設定情報Ｄ３を削除する。そして、前記インストール処理が終了する。
【００５１】
ここでは、情報処理装置２における前記ソフトウェアのインストール時に、設定情報Ｄ３に基づいて初期設定処理が実行される例を説明したが、本発明はこれに限定されない。他の実施形態では、情報処理装置２における前記ソフトウェアの初回起動時に、設定情報Ｄ３に基づいて初期設定処理が実行されてもよい。この場合、情報処理装置２において、前記ソフトウェアが初めて起動されると、前記ソフトウェアに基づいて情報処理装置２の制御部２４によって初期設定処理が実行される。このとき、記憶部２３に保存されている設定情報Ｄ３に基づいて、ユーザー情報及び装置情報の入力が自動的に実行される。よって、ユーザーによるこれらの情報の入力作業が不要となる。
【００５２】
以上のように、本実施形態に係る画像処理システム１００では、画像処理装置１において、情報処理装置２のユーザーに対応する設定情報Ｄ３が生成され、生成された設定情報Ｄ３がインストーラーとともに画像処理装置１から情報処理装置２に送信される。そして、情報処理装置２におけるソフトウェアのインストール時に、画像処理装置１から受信した設定情報Ｄ３に基づいて初期設定処理が行われる。よって、本実施形態に係る画像処理システム１００によれば、情報処理装置２におけるソフトウェアの初期設定処理におけるユーザー情報の入力作業の手間を軽減することが可能である。
【００５３】
なお、図６に示される設定情報Ｄ３には、ユーザー情報及び装置情報の両方が含まれているが、他の実施形態では、ユーザー情報のみが設定情報Ｄ３に含まれてもよい。
【００５４】
また、図６に示される設定情報Ｄ３には、「ユーザーＩＤ」、「パスワード」、「権限」、「部門コード」、「機種名」、「ＩＰアドレス」、「オプションＡ」、「オプションＢ」、「オプションＣ」、及び「オプションＤ」の情報が含まれるが、本発明はこれに限定されない。他の実施形態では、情報処理装置２にダウンロードされるソフトウェアに応じて、設定情報Ｄ３に含まれる情報を異ならせてもよい。例えば、前記ソフトウェアが、初期設定処理において装置情報の入力を必要としないソフトウェアである場合、画像処理装置１の制御部１６（具体的には生成処理部１６２）は、ユーザー情報のみを含む設定情報Ｄ３を生成してもよい。
【符号の説明】
【００５５】
１００  画像処理システム
１      画像処理装置
１０    操作表示部
１１    ＡＤＦ
１２    画像読取部
１３    画像形成部
１４    通信Ｉ／Ｆ
１５    記憶部
１６    制御部
１６１  受信処理部
１６２  生成処理部
１６３  送信処理部
２      情報処理装置
【図１】
2019207529.tif 000003
【図２】
2019207529.tif 000004
【図３】
2019207529.tif 000005
【図４】
2019207529.tif 000006
【図５】
2019207529.tif 000007
【図６】
2019207529.tif 000008
【図７】
2019207529.tif 000009